(57)【要約】【課題】従来から一体となった線状の縁のついた物と、人工毛を一本一本睫毛に付ける独立型の物が、付け睫毛として利用されている。一体となったものは、付け睫毛を装着した時に、線状の縁が不自然に見え、一本一本接着する独立型のものは、ピンセットで付けるので、自分自身が着けるのは難しく時間も掛かり他者に任せる事になり手軽さはありません。それらの付け睫毛の不都合を解決する事。【解決手段】接着剤の付いた紙などの様なシート状の物で、付け睫毛の毛を、貼り付け固定する。そのシート状の物により、線状の縁が無くても、大量の付け睫毛の毛を自分自身の手で持つことができる。付け睫毛用の接着剤を使用し瞼に本発明の付け睫毛を装着後に、水で剥がせる接着剤を使ったシート状の物は、その部分に綿棒などで水を付けて、シート状の物を取り剥がす。着脱が可能な接着剤の付いたシート状の物はそのまま付け睫毛から剥がす。これによりこの課題を解決する。【選択図】図１
2008297690.tif 000002
【特許請求の範囲】
【請求項１】
水で剥がせる接着剤を塗った紙又はシート状の物と、接着剤の付いていない紙又はシート状の物で付け睫毛の毛を挟み固定することを特徴とする付け睫毛。
【請求項２】
水で剥がせる接着剤の付いた紙又はシート状の物に、付け睫毛の毛を貼り付け固定することを特徴とする付け睫毛。
【請求項３】
請求項１ないし請求項２のいずれかに、市販の付け睫毛用の接着剤を、付け睫毛の裏面の上部に塗り、瞼に装着して接着剤を乾燥させ、綿棒などで紙の部分に水分を含ませ、紙又はシート状の物を剥がす装着方法。
【発明の詳細な説明】
【技術分野】
【０００１】  本発明は、付け睫毛に関する。
【背景技術】
【０００２】  従来から、化粧品として、一体となった線状の縁のついた物と、人工毛を一本一本睫毛に付ける独立型の物が（特許文献１）、付け睫毛として利用されている。一体となったものは、線状の縁が不自然に見え、一本一本接着する独立型のものは、ピンセットで付けるので、自分自身が着けるのは難しく時間も掛かり他者に任せる事になり手軽さはありません。
［図６］従来の形状の一体型
【特許文献１】特開Ｈ１０−１８３４１５号公報
【発明の開示】
【発明が解決しようとする課題】
【０００３】  従来の一体となった着け睫毛の線状の縁を無くし、自然で自分自身で簡単に時間をかけず装着できる事を課題とする。
【課題を解決するための手段】
【０００４】この課題を解決するための請求項１の発明は、紙又はシート状の物を付け睫毛で挟んで固定した事を特徴とする、付け睫毛である。紙又はシート状の物に水で剥がせる接着剤を使用して付け睫毛を固定し、接着剤の付いていない紙又はシート状の物を使用し、上下で付け睫毛を挟んで固定する。これによって、多くの付け睫毛をしっかり手で持つ事ができ装着しやすくなる。【０００５】また請求項２の発明は、付け睫毛に、水剥がせやすい接着剤を塗った紙又はシート状の物を付けて、付け睫毛を固定する事を特徴とする、付け睫毛である。付け睫毛を接着剤の付いた紙又はシート状の物だけで固定する事により軽くなり、柔らかく張りの無い睫毛の人や、接着の弱い付け睫毛用の接着剤でも装着時に瞼に装着しやすくなる。【０００６】請求項３の発明は請求項１ないし請求項２の装着方法である。市販の付け睫毛用の接着剤を、本発明の付け睫毛の裏面の上部に塗り、瞼に装着して接着剤を乾燥させる。次に紙又はシート状の物の部分に水分を含ませ、紙又はシート状の物を剥がす。これにより時間も掛からずに装着できる。
【発明の効果】
【０００７】  本発明により、従来の物より、付け睫毛を付けて不自然に見える不都合は起きなくなり、手で持つことが出来るので自分自身で装着できる。そして付け睫毛の毛の本数も１本から１００本以上と好みに応じて紙又はビニールテープなどに固定できる。近くで見ても付け睫毛を付けている事が分からなく。縁取りが無いので重ね付けもでき、固定されている紙も１分以内に取り外せ、使用方法も簡単に自分自身で装着できる事が可能になる。
【発明を実施するための最良の形態】
【０００８】  以下、本発明の実施例を図面に基づいて詳細に説明する。【０００９】  図１は、紙又はシート状の物（１）で付け睫毛を挟んで固定した事を特徴とした付け睫毛の正面図である。紙又はシート状の物に水で剥がせる接着剤を使用して付け睫毛を固定して、接着剤の付いていない紙で付け睫毛を挟む。同図で示すように、１によって、従来のような線状の縁取りが無くても固定できる。１で挟んである事により、指に付かないので、持つ場所を意識せず手で持つことが出来る。睫毛の本数は好みにより自由に増やせる。１の位置は、付け睫毛を装着するための、付け睫毛用接着剤を塗る場所が必要なので、それ以外の位置に付ける。【００１０】図２は、付け睫毛を、水で剥がせる接着剤のついた紙シート状の物（３）を貼り固定する事を特徴とする付け睫毛の正面図である。３だけで固定するので付け睫毛は軽くなり、睫毛の柔らかい張りの無い人や、接着の弱い付け睫毛用の接着剤でも装着することが出来る。【００１１】  １，３には、水で剥がせる接着剤を使い、１，３を剥がす時は、綿棒などで１，３の部分に水を塗り、１，３を剥がす事ができる。【００１２】  １，３は、手で曲げやすく形の作りやすい紙を使う。【００１３】  図１と図２を使用するとき、付け睫毛の裏側上部（９）に、市販の付け睫毛用接着剤を使用して、瞼につける。接着剤が乾燥したら紙に水を塗り、紙を剥がす。市販の付け睫毛用接着剤は好みの物を使用することが出来る。【００１４】  図３は、図１の付け睫毛を目じりに使用した場合の例である。１を剥がす前の段階である。１の場所に水で濡らし、付け睫毛から剥がす。綿棒を使うと水が塗りやすく剥がしやすい。本発明の付け睫毛は目じりに付けても全体に付けてもよい。【００１５】  図４は、目じりに使用した付け睫毛の１を剥がした完成の状態である。この状態になると、睫毛カール器やマスカラを使う事もできる、透明のマスカラを使うとより自然に見える。
【産業上の利用可能性】
【００１６】  本発明に係る付け睫毛は、従来の一体となった付け睫毛を紙又はシート状の物に水で剥がせる接着剤で固定して、線状の縁取りを切り離して作れる事もあり、生産は簡単である。使い捨てなので従来の物より購買量が増え同時に生産量も増える。従来の様な付け睫毛の線状の縁取りが無いので、今まで難しかった、近くで見ても付け睫毛を付けている事が分からなく、紙又はシート状の物により、大量の睫毛を手で持つことができ、使用方法も簡単に自分自身で装着できるようになる。紙又はシート状の物も簡単に取り外す事も出来るので装着時間の手間も掛からず、付け睫毛の装着に、水で洗い落とせる市販の付け睫毛用の接着剤を使い装着する事が出来るので、簡単に取り外す事ができ、肌や目の負担も軽減できる。素顔に装着しても自然で、自分自身で装着できるので、男性が付け睫毛を使う事も出来るようになるだろう。
【図面の簡単な説明】
【００１７】
【図１】水で剥がれる接着剤の付いた紙又はシート状の物で挟み固定している付け睫毛、本発明の請求項１の正面図である。（拡大図）
【図２】粘着性のない水で剥がれる接着剤で紙又はシート状の物に固定した付け睫毛、本発明の請求項２の正面図である。（拡大図）
【図３】図１の付け睫毛を目じりに付けた状態で、固定された紙又はシート状の物を取る前である。
【図４】付け睫毛を付け、出来上がりの状態である。
【図５】図１の付け睫毛を横から見た拡大図。
【図６】従来の形状一体型で接着面に縁取りがある物
【符号の説明】
【００１８】    １  水で剥がせる接着剤が付いている紙又はシート状の物と紙又はシート状の物
２  付け睫毛
３  水で剥がせる接着剤が付いている紙又はシート状の物
４  眉毛
５  瞼
６  睫毛
７  鼻
８  図１の本発明の付け睫毛
９  市販の付け睫毛用接着剤を塗る裏側上部
１０  縁
【図１】
2008297690.tif 000003
【図２】
2008297690.tif 000004
【図３】
2008297690.tif 000005
【図４】
2008297690.tif 000006
【図５】
2008297690.tif 000007
【図６】
2008297690.tif 000008
【手続補正書】
【提出日】平成19年8月20日(2007.8.20)
【手続補正１】
【補正対象書類名】明細書
【補正対象項目名】全文
【補正方法】変更
【補正の内容】
【発明の詳細な説明】
【技術分野】
【０００１】  本発明は、付け睫毛に関する。
【背景技術】
【０００２】  従来から、化粧品として、一体となった線状の縁のついた物と、人工毛を一本一本睫毛に付ける独立型の物が（特許文献１）、付け睫毛として利用されている。一体となったものは、線状の縁が不自然に見え、一本一本接着する独立型のものは、ピンセットで付けるので、自分自身が着けるのは難しく時間も掛かり他者に任せる事になり手軽さはありません。
［図６］従来の形状の一体型
【特許文献１】特開Ｈ１０−１８３４１５号公報
【発明の開示】
【発明が解決しようとする課題】
【０００３】  従来の一体となった付け睫毛の線状の縁を無くし、見た目も自然で、自分自身で簡単に時間をかけず装着できる事を課題とする。
【課題を解決するための手段】
【０００４】この課題を解決するために付け睫毛の毛を紙などのシート状の物に着脱の可能な接着剤で固定した物を提案する。【０００５】請求項１の発明は、シート状の物で付け睫毛を挟んで固定した事を特徴とする、付け睫毛である。シート状の物に水で剥がせる接着剤を使用して付け睫毛を固定し、接着剤の付いていない紙などのシート状の物を使用し、上下で付け睫毛を挟んで固定する。これによって、多くの付け睫毛をしっかり手で持つ事ができ装着しやすくなる。そして、シート状の物の素材はどんな物でもよい。【０００６】また請求項２の発明は、付け睫毛の毛に、水で剥がせる接着剤を塗ったシート状の物を付けて、付け睫毛の毛を固定する事を特徴とする付け睫毛である。付け睫毛を接着剤の付いたシート状の物だけで固定する事により軽くなり、柔らかく張りの無い睫毛の人や、接着の弱い付け睫毛用の接着剤でも装着時に瞼に装着しやすくなる。【０００７】請求項３の発明は請求項１ないし請求項２の装着方法である。市販の付け睫毛用の接着剤を、本発明の付け睫毛の裏面の上部に塗り、瞼に装着して接着剤を乾燥させる。次にシート状の物の部分に水分を含ませ、シート状の物を剥がす。これにより時間も掛からずに装着できる。【０００８】請求項４は着脱が可能な接着剤の付いたシート状の物で挟んだ物である。簡単に着脱が出来るので、付け睫毛の毛を固定することもでき、装着した後も、簡単にシート状の物を剥がせる事ができる。【０００９】請求項５は着脱が可能な接着剤の付いたシート状の物で、付け睫毛の毛を固定する事を特徴とする付けまつ毛である。【００１０】請求項６は請求項４と請求項５の装着方法である。市販の付け睫毛用の接着剤を、本発明の付け睫毛の裏面の上部に塗り、瞼に付けて接着剤を乾燥させる。瞼に装着できたらシート状の物を剥がす。これにより時間も掛からずに装着できる。
【発明の効果】
【００１１】  本発明により、従来の物より、付け睫毛を付けて不自然に見える不都合は起きなくなり、手で持つことが出来るので自分自身で装着できる。そして付け睫毛の毛の本数も１本から１００本以上と好みに応じてシート状の物などに固定できる。近くで見ても付け睫毛を付けている事が分からなく。縁取りが無いので重ね付けもでき、固定されているシート状の物も１分以内に取り外せ、使用方法も簡単に自分自身で装着できる事が可能になる。
【発明を実施するための最良の形態】
【００１２】  以下、本発明の実施例を図面に基づいて詳細に説明する。【００１３】  図１は、１で付け睫毛を挟んで固定した事を特徴とした付け睫毛の正面図である。同図で示すように、１によって、従来のような線状の縁取りが無くても固定できる。１で挟んである事により、指に付かないので、持つ場所を意識せず手で持つことが出来る。睫毛の本数は好みにより自由に増やせる。１の位置は、付け睫毛を装着するための、付け睫毛用の接着剤を塗る場所が必要なので、それ以外の位置に付ける。【００１４】図２は、付け睫毛を、水で剥がせる接着剤のついたシート状の物（３）を貼り固定する事を特徴とする付け睫毛の正面図である。３だけで固定するので付け睫毛は軽くなり、睫毛の柔らかい張りの無い人や、接着の弱い付け睫毛用の接着剤でも装着することが出来る。【００１５】  水で剥がせる接着剤を使った１，３を剥がす時は、綿棒などで１，３の部分に水を塗り、１，３を剥がす事ができる。着脱が可能な接着剤のついた物（請求項４）は、そのまま剥がす。【００１６】  シート状の物とは、素材はどんな物でもよい。【００１７】  図１と図２を使用するとき、付け睫毛の裏側上部（９）に、市販の付け睫毛用接着剤を使用して、瞼につける。請求項１と請求項２は接着剤が乾燥したらシート状の物に水を塗りシート状の物を剥がす。請求項４はそのままシート状の物を剥がす。市販の付け睫毛用接着剤は好みの物を使用することが出来る。【００１８】  図３は、図１の付け睫毛を目じりに使用した場合の例である。１を剥がす前の段階である。請求項１の場合は、１の場所を水で濡らし、付け睫毛から剥がす。綿棒を使うと水が塗りやすく剥がしやすい。請求項４は、そのまま剥がす事ができる。本発明の付け睫毛は目じりに付けても全体に付けてもよい。【００１９】  図４は、目じりに使用した付け睫毛の１を剥がした完成の状態である。この状態になると、睫毛カール器やマスカラを使う事もできる、透明のマスカラを使うとより自然に見える。
【産業上の利用可能性】
【００２０】  本発明に係る付け睫毛は、従来の一体となった付け睫毛を紙などの様なシート状の物に接着剤で固定して、線状の縁取りを切り離して作れる事もあり、生産は簡単である。使い捨てなので従来の物より購買量が増え同時に生産量も増える。従来の様な付け睫毛の線状の縁取りが無いので、今まで難しかった、近くで見ても付け睫毛を付けている事が分からなく、シート状の物により、大量の睫毛を手で持つことができ、使用方法も簡単に自分自身で装着できるようになる。シート状の物も簡単に取り外す事も出来るので装着時間の手間も掛からず、付け睫毛の装着に、水で洗い落とせる市販の付け睫毛用の接着剤を使い装着する事が出来るので、簡単に取り外す事ができ、肌や目の負担も軽減できる。素顔に装着しても自然で、自分自身で装着できるので、男性が付け睫毛を使う事も出来るようになるだろう。
【図面の簡単な説明】
【００２１】
【図１】本発明の請求項１と請求項４の正面図である。（拡大図）
【図２】本発明の請求項２と請求項５の正面図である。（拡大図）
【図３】図１の付け睫毛を目じりに付けた状態で、固定されたシート状の物を取る前である。
【図４】付け睫毛を付け、出来上がりの状態である。
【図５】図１の付け睫毛を横から見た拡大図。
【図６】従来の形状一体型で接着面に縁取りがある物
【符号の説明】
【００２２】    １  水で剥がせる接着剤が付いているシート状の物とシート状の物（請求項１）又は着脱が可能な接着剤の付いたシート状の物（請求項４）。
２  付け睫毛
３  水で剥がせる接着剤が付いているシート状の物（請求項２）又は着脱が可能な接着剤の付いたシート状の物（請求項５）
４  眉毛
５  瞼
６  睫毛
７  鼻
８  図１の本発明の付け睫毛
９  市販の付け睫毛用接着剤を塗る裏側上部
１０  縁
【手続補正２】
【補正対象書類名】特許請求の範囲
【補正対象項目名】請求項１
【補正方法】変更
【補正の内容】
【請求項１】
水で剥がせる接着剤を塗ったシート状の物と、接着剤の付いていない紙又はシート状の物で付け睫毛の毛を挟み固定することを特徴とする付け睫毛。
【手続補正３】
【補正対象書類名】特許請求の範囲
【補正対象項目名】請求項２
【補正方法】変更
【補正の内容】
【請求項２】
水で剥がせる接着剤を塗ったシート状の物に、付け睫毛の毛を貼り付け固定することを特徴とする付け睫毛。
【手続補正４】
【補正対象書類名】特許請求の範囲
【補正対象項目名】請求項４
【補正方法】追加
【補正の内容】
【請求項４】
着脱が可能の接着剤が付いたシート状の物で、付け睫毛の毛を挟み固定する。シート状の物を固定する場所は、装着時に付け睫毛用接着剤を塗るので、それ以外の場所に固定する事を特徴とする付け睫毛。
【手続補正５】
【補正対象書類名】特許請求の範囲
【補正対象項目名】請求項５
【補正方法】追加
【補正の内容】
【請求項５】
着脱が可能な接着剤の付いたシート状の物で付け睫毛の毛を固定する。シート状の物を固定する場所は、装着時に付け睫毛用接着剤を塗るので、それ以外の場所に固定する事を特徴とする付け睫毛。
【手続補正６】
【補正対象書類名】特許請求の範囲
【補正対象項目名】請求項６
【補正方法】追加
【補正の内容】
【請求項６】
請求項４ないし請求項５に、市販の付け睫毛用の接着剤を、付け睫毛の裏面の上部に塗り、瞼に装着する。接着剤が乾燥し装着したら、シート状の物を剥がす装着方法。
【手続補正書】
【提出日】平成19年11月5日(2007.11.5)
【手続補正２】
【補正対象書類名】手続補正書
【補正対象項目名】手続補正２
【補正方法】変更
【補正の内容】
【手続補正２】
【補正対象書類名】特許請求の範囲
【補正対象項目名】全文
【補正方法】変更
【補正の内容】
【特許請求の範囲】
【請求項１】
水で剥がせる接着剤を塗ったシート状の物と、接着剤の付いていない紙又はシート状の物で付け睫毛の毛を挟み固定することを特徴とする付け睫毛。
【請求項２】
水で剥がせる接着剤を塗ったシート状の物に、付け睫毛の毛を貼り付け固定することを特徴とする付け睫毛。
【請求項３】
請求項１ないし請求項２のいずれかに、市販の付け睫毛用の接着剤を、付け睫毛の裏面の上部に塗り、瞼に装着して接着剤を乾燥させ、綿棒などで紙の部分に水分を含ませ、紙又はシート状の物を剥がす装着方法。
【請求項４】
着脱が可能の接着剤が付いたシート状の物で、付け睫毛の毛を挟み固定する。シート状の物を固定する場所は、装着時に付け睫毛用接着剤を塗るので、それ以外の場所に固定する事を特徴とする付け睫毛。
【請求項５】
着脱が可能な接着剤の付いたシート状の物で付け睫毛の毛を固定する。シート状の物を固定する場所は、装着時に付け睫毛用接着剤を塗るので、それ以外の場所に固定する事を特徴とする付け睫毛。
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】
【手続補正５】
【補正対象書類名】手続補正書
【補正対象項目名】手続補正５
【補正方法】削除
【補正の内容】
【手続補正６】
【補正対象書類名】手続補正書
【補正対象項目名】手続補正６
【補正方法】削除
【補正の内容】